(57)【要約】【課題】  ある位置に関連するユーザからの投稿情報とＷｅｂサーバへのリンク情報とを、要求のあった端末装置に提供する位置関連情報提供装置を提供する。【解決手段】  位置関連情報提供装置１は、情報閲覧・投稿手段２１によって、端末装置２から送信される投稿情報を受信し、投稿情報記憶手段１２に記憶し、リンク情報取得手段２４によって、Ｗｅｂサーバ３から送信されるリンク情報を受信し、リンク情報記憶手段１３に記憶し、さらに、情報閲覧・投稿手段２１によって、端末装置２から位置情報を通知されることで、その位置に関連する投稿情報及びリンク情報を、投稿情報記憶手段１２及びリンク情報記憶手段１３から探索し、提供することを特徴とする。【選択図】      図１
2006065535.tif 000002
【特許請求の範囲】
【請求項１】
複数の端末装置から送信される投稿情報と、複数のＷｅｂサーバから送信されるリンク情報とを、位置情報に関連付け、要求のあった端末装置に提供する位置関連情報提供装置であって、
前記投稿情報を記憶する投稿情報記憶手段と、
前記位置情報に関連付けられた前記投稿情報を受信し、当該投稿情報を前記位置情報に関連付けて前記投稿情報記憶手段に記憶する情報投稿手段と、
前記リンク情報を記憶するリンク情報記憶手段と、
前記位置情報に関連付けられた前記リンク情報を受信し、当該リンク情報を前記位置情報に関連付けてリンク情報記憶手段に記憶するリンク情報取得手段と、
前記位置情報を受信し、当該位置情報に関連付けられている前記投稿情報及び前記リンク情報を、前記投稿情報記憶手段及び前記リンク情報記憶手段から探索し、前記要求のあった端末装置に送信する情報閲覧手段と、
を備えていることを特徴とする位置関連情報提供装置。
【請求項２】
複数の端末装置から送信される投稿情報と、複数のＷｅｂサーバから送信されるリンク情報とを、位置情報に関連付け、要求のあった端末装置に提供する位置関連情報提供装置であって、
地理データを所定の大きさの領域毎に区分した、エリアを特定するための情報となるエリア情報を記憶したエリア情報記憶手段と、
前記投稿情報を記憶する投稿情報記憶手段と、
前記端末装置から、前記位置情報と前記投稿情報とを受信し、当該投稿情報を前記位置情報に関連付けて前記投稿情報記憶手段に記憶する投稿情報登録手段と、
前記Ｗｅｂサーバが前記リンク情報を送信するための送信先を示す、前記エリア情報又は前記位置情報毎に固有のアドレスを生成するアドレス生成手段と、
前記リンク情報を記憶するリンク情報記憶手段と、
前記アドレス生成手段で生成されたアドレスに対して、前記Ｗｅｂサーバから送信された前記リンク情報を受信し、当該リンク情報を前記エリア情報又は前記位置情報に関連付けて前記リンク情報記憶手段に記憶するリンク情報登録手段と、
前記端末装置から前記位置情報を受信し、前記エリア情報記憶手段から、前記位置情報で示される位置を含んだエリアを特定するエリア特定手段と、
このエリア特定手段で特定されたエリア内に含まれる位置を示す位置情報に関連付けられている投稿情報を、前記投稿情報記憶手段から検索する投稿情報検索手段と、
前記エリア特定手段で特定されたエリアを示すエリア情報、又は前記エリア内に含まれる位置を示す位置情報に関連付けられているリンク情報を、前記リンク情報記憶手段から検索するリンク情報検索手段と、
前記投稿情報検索手段及び前記リンク情報検索手段の検索結果である前記投稿情報及び前記リンク情報、並びに、前記アドレス生成手段で生成されたアドレスを、前記要求のあった端末装置に送信する情報送信手段と、
を備えていることを特徴とする位置関連情報提供装置。
【請求項３】
前記エリア特定手段で特定されたエリア内に含まれる位置に関連付けられている投稿情報を、前記投稿情報記憶手段から検索し、少なくとも前記投稿情報の表題を含んだ投稿情報一覧を生成する投稿情報一覧生成手段を備え、
前記情報送信手段は、前記要求のあった端末装置に前記投稿情報一覧を送信することを特徴とする請求項２に記載の位置関連情報提供装置。
【請求項４】
地図画像を記憶した地図画像記憶手段と、
この地図画像記憶手段に記憶されている地図画像から、前記エリア特定手段で特定されたエリアの地図であるエリア地図画像を生成するエリア地図画像生成手段とを備え、
前記情報送信手段は、前記要求のあった端末装置に前記エリア地図画像を送信することを特徴とする請求項２又は請求項３に記載の位置関連情報提供装置。
【請求項５】
前記アドレス生成手段は、当該位置関連情報提供装置の固有アドレスと、前記エリア情報又は前記位置情報毎に固有の識別情報とを含んで、前記アドレスを生成することを特徴とする請求項２乃至請求項４のいずれか一項に記載の位置関連情報提供装置。
【請求項６】
複数の端末装置から送信される投稿情報を記憶する投稿情報記憶手段と、複数のＷｅｂサーバから送信されるリンク情報を記憶するリンク情報記憶手段と、地理データを所定の大きさの領域毎に区分した、エリアを特定するための情報となるエリア情報を記憶したエリア情報記憶手段とを備えた位置関連情報提供装置において、前記投稿情報と前記リンク情報とを、位置情報に関連付け、要求のあった端末装置に提供する位置関連情報提供方法であって、
前記端末装置から、前記位置情報と前記投稿情報とを受信し、当該投稿情報を前記位置情報に関連付けて前記投稿情報記憶手段に記憶する投稿情報登録ステップと、
前記Ｗｅｂサーバが前記リンク情報を送信するための送信先を示す、前記エリア情報又は前記位置情報毎に固有のアドレスを生成するアドレス生成ステップと、
このアドレス生成ステップで生成されたアドレスに対して、前記Ｗｅｂサーバから送信された前記リンク情報を受信し、当該リンク情報を前記エリア情報又は前記位置情報に関連付けて前記リンク情報記憶手段に記憶するリンク情報登録ステップと、
前記端末装置から前記位置情報を受信し、前記エリア情報記憶手段から、前記位置情報で示される位置を含んだエリアを特定するエリア特定ステップと、
このエリア特定ステップで特定されたエリアを示すエリア情報、又は前記エリア内に含まれる位置を示す位置情報に関連付けられている投稿情報及びリンク情報を、前記投稿情報記憶手段及び前記リンク情報記憶手段から検索し、前記アドレス生成ステップで生成されたアドレスとともに、前記要求のあった端末装置に送信する情報送信ステップと、
を含んでいることを特徴とする位置関連情報提供方法。
【請求項７】
複数の端末装置から送信される投稿情報を記憶する投稿情報記憶手段と、複数のＷｅｂサーバから送信されるリンク情報を記憶するリンク情報記憶手段と、地理データを所定の大きさの領域毎に区分した、エリアを特定するための情報となるエリア情報を記憶したエリア情報記憶手段とを備えた位置関連情報提供装置において、前記投稿情報と前記リンク情報とを、位置情報に関連付け、要求のあった端末装置に提供するために、コンピュータを、
前記端末装置から、前記位置情報と前記投稿情報とを受信し、当該投稿情報を前記位置情報に関連付けて前記投稿情報記憶手段に記憶する投稿情報登録手段、
前記Ｗｅｂサーバが前記リンク情報を送信するための送信先を示す、前記エリア情報又は前記位置情報毎に固有のアドレスを生成するアドレス生成手段、
このアドレス生成手段で生成されたアドレスに対して、前記Ｗｅｂサーバから送信された前記リンク情報を受信し、当該リンク情報を前記エリア情報又は前記位置情報に関連付けて前記リンク情報記憶手段に記憶するリンク情報登録手段、
前記端末装置から前記位置情報を受信し、前記エリア情報記憶手段から、前記位置情報で示される位置を含んだエリアを特定するエリア特定手段、
このエリア特定手段で特定されたエリア内に含まれる位置を示す位置情報に関連付けられている投稿情報を、前記投稿情報記憶手段から検索する投稿情報検索手段、
前記エリア特定手段で特定されたエリアを示すエリア情報、又は前記エリア内に含まれる位置を示す位置情報に関連付けられているリンク情報を、前記リンク情報記憶手段から検索するリンク情報検索手段、
前記投稿情報検索手段及び前記リンク情報検索手段の検索結果である前記投稿情報及び前記リンク情報、並びに、前記アドレス生成手段で生成されたアドレスを、前記要求のあった端末装置に送信する情報送信手段、
として機能させることを特徴とする位置関連情報提供プログラム。
【発明の詳細な説明】
【技術分野】
【０００１】
本発明は、複数の端末装置から送信される投稿情報と、複数のＷｅｂサーバから送信されるリンク情報とを、位置情報に関連付けて提供する位置関連情報提供装置、その方法及びそのプログラムに関する。
【背景技術】
【０００２】
現在、携帯電話、ＰＤＡ（Ｐｅｒｓｏｎａｌ  Ｄｉｇｉｔａｌ  Ａｓｓｉｓｔａｎｔ）等の端末装置（移動端末）に、地図と、その地図上の所定の位置に予め登録されている、店舗、遊戯施設等の広告情報とを提供するＷｅｂサービス（地図情報サービス）が利用されてきている（例えば、特許文献１参照）。
この地図情報サービスでは、端末装置においてユーザが所定の地域を選択することで、地図情報サービスを提供するＷｅｂサーバが、当該地域の地図と、店舗、遊戯施設等の位置とを端末装置に送信する。そして、端末装置は、店舗等の位置を所定のアイコン等のマークによって示した地図として画面上に表示する。そして、端末装置は、ユーザが地図上のマークを選択することで、Ｗｅｂサーバからさらに店舗等の情報を取得し、その情報（広告情報）を画面上に表示する。なお、最近では、端末装置においてユーザが所定の地域を選択する代わりに、ＧＰＳ（Ｇｌｏｂａｌ  Ｐｏｓｉｔｉｏｎｉｎｇ  Ｓｙｓｔｅｍ）によって、端末装置が自身の位置を測位することで、現在の端末装置の位置に対応する地図情報を提供する地図情報サービスが提供されている。
【０００３】
また、地図上の所定の位置における店舗等の情報を提供する他の形態として、一般のユーザが情報をＷｅｂサーバに投稿し、他のユーザがその投稿（登録）された情報を参照する、ユーザ投稿型システムが存在する（例えば、非特許文献１参照）。
このユーザ投稿型システムでは、端末装置において、ユーザが地図上で選択した位置（店舗等）に関連する情報（投稿情報）を入力し、Ｗｅｂサーバに登録する。そして、端末装置においてユーザが所定の地域を選択することで、Ｗｅｂサーバが、当該地域の地図と、投稿情報が登録されている位置とを端末装置に送信する。そして、端末装置は、投稿情報が登録されている位置を所定のアイコン等のマークによって示した地図を画面上に表示する。そして、端末装置は、ユーザが地図上のマークを選択することで、Ｗｅｂサーバから投稿情報を取得し、画面上に表示する。なお、このユーザ投稿型システムは、投稿情報を参照したユーザが、さらに、投稿情報を追加して登録することが可能で、同一の位置（店舗等）の情報が、充実していくという特徴を持っている。
【特許文献１】特許第３３２４６０２号明細書（段落００１０〜００１１、図１及び図２）
【非特許文献１】上田紀之、外４名、「時空間ポエマー＋カキコまっぷ−ＧＰＳカメラケータイを用いたＷｅｂＧＩＳの構築−」、電子情報通信学会技術研究報告、Ｖｏｌ．１０３、Ｎｏ．３９、ｐｐ．７１−７６、２００３
【発明の開示】
【発明が解決しようとする課題】
【０００４】
しかし、従来の地図情報サービスでは、広告情報を提供する企業が、自身の店舗、遊戯施設等の広告情報をＷｅｂサーバに登録するため、その広告情報は、自ずと公共性の高い情報となってしまう。さらに、企業は、広告情報として、当該企業にとって都合のよい情報しか登録しない。そのため、店舗等に対する一般ユーザの意見、感想等といった個人的、半公共的な情報が提供されず、一般ユーザからは、公共性の高い情報以外にも、幅広い情報（例えば、欠点、本音の意見等）の提供を行って欲しいという要望が高まっている。
【０００５】
また、従来のユーザ投稿型システムでは、一般ユーザが店舗等に対する情報を投稿することで、前記した地図情報サービスとは逆に、意見、感想等といった個人的、半公共的な情報を提供することが可能である。しかし、ユーザ投稿型システムは、匿名で投稿を行うことができるため、その投稿された情報が信頼性に乏しいという問題がある。さらに、投稿情報のみでは、公共性のある情報が投稿されない場合があり、情報の充実度という点で問題がある。
なお、従来のユーザ投稿型システムでは、企業等が、公共性の高い情報を投稿することで、公共性の高い情報をユーザに提供することも可能である。しかし、ユーザ投稿型システムでは、公共性の有無に関わらず、それらの情報を同一の投稿情報として登録するため、一般ユーザは、その投稿情報の有用性を判定することが困難であるという問題がある。
【０００６】
本発明は、以上のような課題を解決するためになされたものであり、ある位置に対するユーザからの投稿情報の登録を行い、一般ユーザにその情報を提供するとともに、他のＷｅｂサーバへのリンク情報を提供することで、公共性の高い情報を提供することが可能な位置関連情報提供装置、その方法及びそのプログラムを提供することを目的とする。
【課題を解決するための手段】
【０００７】
本発明は、前記目的を達成するために創案されたものであり、まず、請求項１に記載の位置関連情報提供装置は、複数の端末装置から送信される投稿情報と、複数のＷｅｂサーバから送信されるリンク情報とを、位置情報に関連付け、要求のあった端末装置に提供する位置関連情報提供装置であって、投稿情報記憶手段と、情報投稿手段と、リンク情報記憶手段と、リンク情報取得手段と、情報閲覧手段とを備える構成とした。
【０００８】
かかる構成によれば、位置関連情報提供装置は、情報登録手段によって、端末装置から位置情報に関連付けられた投稿情報を受信し、当該投稿情報を位置情報に関連付けて投稿情報記憶手段に記憶する。また、位置関連情報提供装置は、リンク情報取得手段によって、Ｗｅｂサーバから位置情報に関連付けられたリンク情報を受信し、当該リンク情報を位置情報に関連付けてリンク情報記憶手段に記憶する。これによって、１つの位置情報に対して、投稿情報とリンク情報とが関連付けられることになる。
そして、位置関連情報提供装置は、情報閲覧手段によって、端末装置から位置情報を受信し、当該位置情報に関連付けられている投稿情報及びリンク情報を、投稿情報記憶手段及びリンク情報記憶手段から探索し、要求のあった端末装置に送信する。これによって、端末装置では、位置情報に関連した投稿情報及びリンク情報を閲覧することが可能になる。
【０００９】
また、請求項２に記載の位置関連情報提供装置は、複数の端末装置から送信される投稿情報と、複数のＷｅｂサーバから送信されるリンク情報とを、位置情報に関連付け、要求のあった端末装置に提供する位置関連情報提供装置であって、エリア情報記憶手段と、投稿情報記憶手段と、投稿情報登録手段と、アドレス生成手段と、リンク情報記憶手段と、リンク情報登録手段と、エリア特定手段と、投稿情報検索手段と、リンク情報検索手段と、情報送信手段とを備える構成とした。
【００１０】
かかる構成によれば、位置関連情報提供装置は、投稿情報登録手段によって、端末装置から、位置を特定する位置情報と、その位置に関連する投稿情報とを受信し、当該投稿情報を位置情報に関連付けて投稿情報記憶手段に記憶する。また、位置関連情報提供装置は、アドレス生成手段によって、Ｗｅｂサーバがリンク情報を送信するための送信先を示すアドレスを生成する。このリンク情報は、少なくとも、Ｗｅｂサーバが公開するＷｅｂページのリンク先を含んだ情報である。また、アドレス生成手段は、このアドレスを、エリア情報記憶手段に記憶されている、位置情報、又は地理データを所定の大きさの領域毎に区分した、エリアを特定するための情報となるエリア情報毎に固有のアドレスとすることで、Ｗｅｂサーバから送信されてくるリンク情報を、位置情報又はエリア情報に対応付けることができる。
そして、位置関連情報提供装置は、リンク情報登録手段によって、Ｗｅｂサーバから送信されたリンク情報を受信し、当該リンク情報を位置情報又はエリア情報に関連付けてリンク情報記憶手段に記憶する。
これによって、位置情報に関連付けて、投稿情報が投稿情報記憶手段に記憶され、位置情報又はエリア情報に関連付けて、リンク情報がリンク情報記憶手段に記憶されることになる。
【００１１】
また、位置関連情報提供装置は、エリア特定手段によって、端末装置から位置情報を受信し、エリア情報記憶手段から、位置情報で示される位置がどのエリア（領域）に含まれる情報であるのかを特定する。
そして、位置関連情報提供装置は、投稿情報検索手段によって、エリア内に含まれる位置を示す位置情報に関連付けられている投稿情報を投稿情報記憶手段から検索するとともに、リンク情報検索手段によって、エリア特定手段で特定されたエリアを示すエリア情報又は位置情報に関連付けられているリンク情報をリンク情報記憶手段から検索する。そして、位置関連情報提供装置は、情報送信手段によって、その検索結果である投稿情報及びリンク情報を、要求のあった端末装置に送信する。さらに、位置関連情報提供装置は、情報送信手段によって、アドレス生成手段で生成されたアドレスを端末装置に送信する。
【００１２】
これによって、端末装置では、位置情報に関連する投稿情報やリンク情報を取得することができる。また、位置情報又はエリア情報に固有のアドレスは、一般の端末装置に公開されることになり、それを参照することで、ＷｅｂサーバにおいてＷｅｂページを公開している者（Ｗｅｂページの管理者）が、リンク情報の送信先を知ることができる。
【００１３】
また、請求項３に記載の位置関連情報提供装置は、請求項２に記載の位置関連情報提供装置において、投稿情報一覧生成手段を備え、前記情報送信手段は、前記要求のあった端末装置に投稿情報一覧を送信することを特徴とする。
【００１４】
かかる構成によれば、位置関連情報提供装置は、投稿情報一覧生成手段によって、エリア特定手段で特定されたエリア内に含まれる位置に関連付けられている投稿情報を、投稿情報記憶手段から検索し、投稿情報一覧を生成する。この投稿情報一覧を、投稿情報の表題等の一覧とすることで、端末装置では、エリア内の位置に関連して投稿されている情報の概略を参照することが可能になる。
【００１５】
さらに、請求項４に記載の位置関連情報提供装置は、請求項２又は請求項３に記載の位置関連情報提供装置において、地図画像記憶手段と、エリア地図画像生成手段とを備え、前記情報送信手段は、前記要求のあった端末装置に前記エリア地図画像を送信することを特徴とする。
【００１６】
かかる構成によれば、位置関連情報提供装置は、予め地図画像記憶手段に地図画像を記憶しておき、エリア地図画像生成手段によって、その地図画像から、エリア特定手段で特定されたエリアの地図であるエリア地図画像を生成する。そして、情報送信手段によって、そのエリア地図画像が端末装置に送信されることで、端末装置では、自身が送信した位置（位置情報）に対応する地図画像を表示することができる。
【００１７】
また、請求項５に記載の位置関連情報提供装置は、請求項２乃至請求項４のいずれか一項に記載の位置関連情報提供装置において、前記アドレス生成手段は、当該位置関連情報提供装置の固有アドレスと、前記エリア情報又は前記位置情報毎に固有の識別情報とを含んで、前記アドレスを生成することを特徴とする。
【００１８】
かかる構成によれば、位置関連情報提供装置は、アドレス生成手段によって、位置関連情報提供装置の固有アドレスと、位置情報又はエリア情報毎に固有の識別情報とを含んで、リンク情報を送信するアドレスとすることで、Ｗｅｂサーバから送信されるリンク情報の送信先を参照することで、そのリンク情報をどの位置情報又はエリア情報に対応付けるかを特定することができる。
【００１９】
さらに、請求項６に記載の位置関連情報提供方法は、複数の端末装置から送信される投稿情報を記憶する投稿情報記憶手段と、複数のＷｅｂサーバから送信されるリンク情報を記憶するリンク情報記憶手段と、地理データを所定の大きさの領域毎に区分した、エリアを特定するための情報となるエリア情報を記憶したエリア情報記憶手段とを備えた位置関連情報提供装置において、前記投稿情報と前記リンク情報とを、位置情報に関連付け、要求のあった端末装置に提供する位置関連情報提供方法であって、投稿情報登録ステップと、アドレス生成ステップと、リンク情報登録ステップと、エリア特定ステップと、情報送信ステップとを含んでいることを特徴とする。
【００２０】
この手順によれば、位置関連情報提供方法は、投稿情報登録ステップで、端末装置から、位置を特定する位置情報と、その位置に関連する投稿情報とを受信し、当該投稿情報を位置情報に関連付けて投稿情報記憶手段に記憶する。そして、位置関連情報提供方法は、アドレス生成ステップで、Ｗｅｂサーバが、リンク情報を送信するための送信先を示す、位置情報又は当該位置を含んだエリアを示すエリア情報に固有のアドレスを生成する。
そして、位置関連情報提供方法は、リンク情報登録ステップで、Ｗｅｂサーバから送信されたリンク情報を受信し、当該リンク情報を位置情報又はエリア情報に関連付けてリンク情報記憶手段に記憶する。
これによって、位置情報に関連付けて、投稿情報が投稿情報記憶手段に記憶され、位置情報又はエリア情報に関連付けて、リンク情報がリンク情報記憶手段に記憶されることになる。
【００２１】
そして、位置関連情報提供方法は、エリア特定ステップで、端末装置から位置情報を受信し、エリア情報記憶手段から、位置情報で示される位置がどのエリア（領域）に含まれる情報であるのかを特定する。そして、位置関連情報提供方法は、情報送信ステップで、
エリア特定ステップで特定されたエリアを示すエリア情報、又はエリア内に含まれる位置を示す位置情報に関連付けられている投稿情報及びリンク情報と、アドレス生成ステップで生成されたアドレスとを端末装置に送信する。
これによって、端末装置では、位置情報に関連する投稿情報やリンク情報を取得することができる。また、位置情報又はエリア情報に固有のアドレスは、一般の端末装置に公開されることになり、そのアドレスを参照することで、ＷｅｂサーバにおいてＷｅｂページを公開している者が、リンク情報の送信先を知ることができる。
【００２２】
また、請求項７に記載の位置関連情報提供プログラムは、複数の端末装置から送信される投稿情報を記憶する投稿情報記憶手段と、複数のＷｅｂサーバから送信されるリンク情報を記憶するリンク情報記憶手段と、地理データを所定の大きさの領域毎に区分した、エリアを特定するための情報となるエリア情報を記憶したエリア情報記憶手段とを備えた位置関連情報提供装置において、前記投稿情報と前記リンク情報とを、位置情報に関連付け、要求のあった端末装置に提供するために、コンピュータを、投稿情報登録手段、アドレス生成手段、リンク情報登録手段、エリア特定手段、投稿情報検索手段、リンク情報検索手段、情報送信手段として機能させる構成とした。
【００２３】
かかる構成によれば、位置関連情報提供プログラムは、投稿情報登録手段によって、端末装置から、位置を特定する位置情報と、その位置に関連する投稿情報とを受信し、当該投稿情報を位置情報に関連付けて投稿情報記憶手段に記憶する。そして、位置関連情報提供プログラムは、アドレス生成手段によって、Ｗｅｂサーバが、リンク情報を送信するための送信先を示す、位置情報又は当該位置を含んだエリアを示すエリア情報に固有のアドレスを生成する。
そして、位置関連情報提供プログラムは、リンク情報登録手段によって、Ｗｅｂサーバから送信されたリンク情報を受信し、当該リンク情報を位置情報又はエリア情報に関連付けてリンク情報記憶手段に記憶する。
これによって、位置情報に関連付けて、投稿情報が投稿情報記憶手段に記憶され、位置情報又はエリア情報に関連付けて、リンク情報がリンク情報記憶手段に記憶されることになる。
【００２４】
そして、位置関連情報提供プログラムは、エリア特定手段によって、端末装置から位置情報を受信し、エリア情報記憶手段から、位置情報で示される位置がどのエリア（領域）に含まれる情報であるのかを特定する。
そして、位置関連情報提供プログラムは、投稿情報検索手段によって、エリア内に含まれる位置を示す位置情報に関連付けられている投稿情報を投稿情報記憶手段から検索するとともに、リンク情報検索手段によって、エリア特定手段で特定されたエリアを示すエリア情報又は位置情報に関連付けられているリンク情報をリンク情報記憶手段から検索する。そして、位置関連情報提供プログラムは、情報送信手段によって、その検索結果である投稿情報及びリンク情報を、要求のあった端末装置に送信する。さらに、位置関連情報提供プログラムは、情報送信手段によって、アドレス生成手段で生成されたアドレスを端末装置に送信する。
【発明の効果】
【００２５】
請求項１、請求項２、請求項６又は請求項７に記載の発明によれば、端末装置において、位置情報に関連付けて投稿された投稿情報や、その位置情報に関連付けてＷｅｂサーバが公開したリンク情報を取得することができる。また、本発明によれば、一般ユーザによる自由な書き込み情報が投稿情報として登録され、また、Ｗｅｂページの管理者によるＷｅｂページへのリンク先の情報がリンク情報として登録されるため、個人的、半公共的な情報のみならず、公共的な情報を収集することが可能になり、位置情報に関連した幅広い情報を端末装置のユーザに対して提供することができる。
また、リンク情報を提供したリンク元のＷｅｂページが、公共性のある情報を公開したページであれば、本発明は、自ずと、公共性の高い情報を提供することが可能になる。一方、Ｗｅｂページが、個人的な情報を公開したものであったとしても、その情報を公開するのは、Ｗｅｂページの管理人であるため、本発明は、匿名の投稿情報に比べて信頼性の高い情報を提供することができる。
【００２６】
請求項３に記載の発明によれば、端末装置から送信される位置（位置情報）を含んだエリア内に登録されている投稿情報の一覧を端末装置に送信することができるため、端末装置のユーザに対して、ある位置のみならず、その近隣の範囲に関連する情報を幅広く提供することができる。
【００２７】
請求項４に記載の発明によれば、エリアの地図を、位置情報を送信した端末装置に送信するため、端末装置のユーザに対して、投稿情報やリンク情報を地図と対応付けて提供することができる。また、本発明によれば、投稿情報が投稿された位置を地図上の位置に対応付けることが可能になり、端末装置のユーザは、地図上のどの位置に投稿情報が登録されているのかを一目で把握することができる。
【００２８】
請求項５に記載の発明によれば、Ｗｅｂサーバに対して公開するアドレスを、位置関連情報提供装置の固有アドレスと、位置情報又はエリア情報毎に固有の識別情報とを含んで生成するため、位置関連情報提供装置では、リンク情報が送信されたアドレスを参照することで、そのリンク情報が、どの位置情報又はエリア情報に関連するものであるかを把握することができ、関連付けを行う管理が容易になる。
【発明を実施するための最良の形態】
【００２９】
以下、本発明の実施の形態について図面を参照して説明する。
［位置情報コミュニケーションシステムの概要］
まず、図１を参照して、本発明に係る位置関連情報提供サーバ（位置関連情報提供装置）を用いた位置情報コミュニケーションシステムの概要について説明する。図１は、位置情報コミュニケーションシステムの全体構成を示すブロック図である。
【００３０】
位置情報コミュニケーションシステムＡは、端末装置２（２1、２2、…）から送信されるある位置に関連する投稿情報と、Ｗｅｂサーバ３（３1、３2、…）から送信されるその位置に関連するＷｅｂページへのリンク先を示すリンク情報とを、ネットワーク５を介して、位置関連情報提供サーバ１に蓄積し、端末装置２に提供することで、位置を手がかり（鍵）として、種々の情報を投稿したり、閲覧したり等のコミュニケーションを行うシステムである。この位置情報コミュニケーションシステムＡは、位置関連情報提供サーバ１と、複数の端末装置２と、複数のＷｅｂサーバ３とからなり、それぞれがインターネット等のネットワーク５を介して接続されている。
【００３１】
位置関連情報提供サーバ（位置関連情報提供装置）１は、複数の端末装置２から送信される投稿情報と、複数のＷｅｂサーバ３から送信されるリンク情報とを取得して、位置情報に関連付けて蓄積し、位置情報を送信してきた端末装置２に対して、その位置情報の示す位置に関連する投稿情報や、リンク情報を提供するものである。
また、位置関連情報提供サーバ１は、リンク情報をＷｅｂサーバ３から送信してもらうための送信先（アドレス）を、端末装置２に対して提供する。このアドレスを、位置情報毎に変えておくことで、位置関連情報提供サーバ１は、取得したリンク情報を位置情報に関連付けることができる。
また、ここでは、位置関連情報提供サーバ１は、端末装置２の画面を構成するためのＨＴＭＬ（ＨｙｐｅｒＴｅｘｔ  Ｍａｒｋｕｐ  Ｌａｎｇｕａｇｅ）等のマークアップ言語として、投稿情報、リンク情報等を提供することとする。
なお、位置関連情報提供サーバ１の構成については、後で詳述する。
【００３２】
端末装置２は、位置関連情報提供サーバ１に対して、位置に関連する情報を投稿したり、閲覧したりするものであって、例えば、パソコン、ＰＤＡ、携帯電話等である。ここでは、端末装置２は、ＨＴＭＬのタグに従って画面を構成するＷＷＷブラウザを搭載し、位置関連情報提供サーバ１が提供する情報を閲覧可能なものとする。
また、端末装置２は、位置に関連する情報を投稿又は閲覧する場合、予め位置を特定する情報（位置情報）を位置関連情報提供サーバ１に送信する。この位置情報は、地理上の位置を特定する情報であって、例えば、緯度、経度を示す情報である。この位置情報は、ユーザが直接入力した値を用いてもよいし、ＧＰＳによって、端末装置２が測位した値を用いてもよい。これによって、端末装置２のユーザは、ユーザが現在いる位置に関連する情報を、取得（閲覧）することができる。
【００３３】
Ｗｅｂサーバ３は、Ｗｅｂページを端末装置２に対して公開するサーバである。このＷｅｂサーバ３は、自ページのサイト名、ＵＲＬ（Ｕｎｉｆｏｒｍ  Ｒｅｓｏｕｒｃｅ  Ｌｏｃａｔｏｒ）等のリンク情報を位置関連情報提供サーバ１に送信する。このリンク情報の送信は、例えば、Ｗｅｂページの管理者が、位置関連情報提供サーバ１が提供する位置情報に対応するアドレス（送信先）を参照し、その送信先に、当該Ｗｅｂページのリンク情報を送信することにより行う。なお、Ｗｅｂページの管理者が、位置関連情報提供サーバ１の提供するアドレスを参照するには、別途端末装置２を用いて参照することとしてもよいし、Ｗｅｂサーバ３にＷＷＷブラウザを搭載し、そのＷＷＷブラウザによって参照することとしてもよい。
このように、位置情報コミュニケーションシステムＡでは、ユーザは、端末装置２によって、ある位置に関連する情報を投稿したり、他のユーザが投稿した情報を閲覧したり、あるいは、ある位置に関連するＷｅｂサーバ３のＷｅｂページを閲覧することが可能になり、個人的、半公共的、公共的な情報といった種々の情報を閲覧することが可能になる。
【００３４】
［位置関連情報提供サーバの構成］
以下、図１を参照して、位置関連情報提供サーバ１の構成について説明する。図１に示すように、位置関連情報提供サーバ１は、記憶手段１０と、制御手段２０と、通信制御手段３０とを備えている。
【００３５】
記憶手段１０は、端末装置２から送信される投稿情報や、Ｗｅｂサーバ３から送信されるリンク情報を記憶したり、位置情報で示される位置を含むエリアを特定するための情報等を記憶しておくものである。ここでは、記憶手段１０は、エリア情報記憶手段１１と、投稿情報記憶手段１２と、リンク情報記憶手段１３と、地図情報記憶手段１４とを備えている。なお、各記憶手段１１乃至１４は、個別のハードディスク等の記憶装置で構成してもよいし、１つの記憶装置の記憶領域を分割して構成することとしてもよい。
【００３６】
エリア情報記憶手段１１は、予め所定の大きさの領域毎に地理データを区分したエリア情報を記憶しておくものである。ここで、エリア情報とは、所定の大きさの領域毎に地理データを区分した単位領域を特定するための情報であって、例えば、位置（緯度、経度）や、大きさ（緯度幅、経度幅）である。また、この単位領域は、後記するエリア画面処理手段２２で生成されるエリア画面に対応するエリアの大きさであってもよいし、あるいは、エリアをさらに細かい区分に分割した領域（例えば、エリアを縦、横それぞれ３分割した９区分領域）であってもよい。
【００３７】
投稿情報記憶手段１２は、端末装置２から送信される投稿情報を記憶しておくものである。ここでは、投稿情報記憶手段１２は、ある１つの位置における話題に対して複数の投稿を記憶できることとする。そして、最小の投稿の単位を書き込み情報と呼び、１つの話題に対する書き込み情報の集合をスレッドと呼ぶ。なお、投稿情報は、スレッドと、そのスレッドに含まれる書き込み情報全体とを指すものとする。
【００３８】
リンク情報記憶手段１３は、Ｗｅｂサーバ３から送信されるリンク情報を記憶しておくものである。なお、リンク情報記憶手段１３は、後記するリンク情報取得手段２４によって、各Ｗｅｂサーバ３から送信されるリンク情報が記憶される。
【００３９】
地図画像記憶手段１４は、デジタルデータ化された地図画像を予め記憶しておくものである。この地図画像記憶手段１４は、後記する情報閲覧・投稿手段２１のエリア画面処理手段２２によって、エリア毎の画面（エリア画面）を生成する際に、そのエリアに対応する緯度、経度及び大きさの画像が読み出される。
【００４０】
ここで、図５乃至図７を参照して、エリア情報記憶手段１１、投稿情報記憶手段１２及びリンク情報記憶手段１３に記憶されるデータのデータ構成例について説明する。図５は、エリア情報記憶手段に予め記憶しておくエリア情報のデータ構成図である。図６は、投稿情報記憶手段に記憶される投稿情報のデータ構成図である。図７は、リンク情報記憶手段に記憶されるリンク情報のデータ構成図である。
【００４１】
まず、図５を参照して、エリア情報記憶手段１１に記憶しておくエリア情報のデータ構成例について説明する。図５のデータ構成例に示すように、エリア情報は、「エリア識別子」、「エリア名」、「緯度」、「経度」等の情報からなる。
「エリア識別子」は、当該エリアを識別するために、区分された領域毎に固有の識別子（番号）である。また、「エリア名」は、当該エリアに付された名前であって、住所表記（例えば、東京都港区六本木付近）等によってエリアを特定する。また、「緯度」及び「経度」は、当該エリアに対する地理データ上における位置を特定するための情報である。なお、ここでは、「緯度」及び「経度」は、区分する領域を矩形領域としたときの、領域の左上（北西隅）の位置を示すこととする。また、ここでは、「緯度」及び「経度」に対して、予め定めた緯度幅、経度幅（図示せず）によりエリア（領域）の大きさを特定することとする。
【００４２】
次に、図６を参照して、投稿情報記憶手段１２に記憶される投稿情報のデータ構成例について説明する。図６のデータ構成例に示すように、投稿情報は、１つのスレッドに対し、複数の書き込み情報からなる。
図６に示すように、スレッドは、「スレッド識別子」、「エリア識別子」、「緯度」、「経度」、「表題」、「投稿者名」、「メールアドレス」、「第一書き込み情報」、「閲覧回数」、「投稿時刻」等の情報からなる。なお、スレッドは、後記する情報閲覧・投稿手段２１（図１参照）によって、ある地理上の位置に対して、新規に情報が登録された段階で生成される。
【００４３】
「スレッド識別子」は、当該スレッドを識別するための固有の識別子（ＩＤ）である。「エリア識別子」は、当該スレッドを生成した位置を含むエリアを識別するための固有の識別子である。また、「緯度」及び「経度」は、当該スレッドを生成した位置を特定するための情報である。
また、「表題」は、当該スレッドの表題を示す文字列であり、「投稿者名」及び「メールアドレス」は、ある地理上の位置に最初に情報を投稿した投稿者の名前及びメールアドレスを示す文字列である。なお、匿名で情報を投稿する場合は、「投稿者名」及び「メールアドレス」は、空（ＮＵＬＬ）となる場合がある。また、「第一書き込み情報」は、最初の投稿者によって投稿された書き込み情報の内容を示す文字列である。また、「閲覧回数」は、本スレッドが閲覧された回数を示し、「投稿時刻」は、本スレッドが最初に投稿された時刻を示す。
【００４４】
また、図６に示すように、スレッドに対応する書き込み情報は、「コメント識別子」、「スレッド識別子」、「投稿者名」、「メールアドレス」、「追加書き込み情報」等の情報からなる。なお、これらの情報は、後記する情報閲覧・投稿手段２１（図１参照）によって、スレッドに対応する情報が投稿された段階で生成される。
「コメント識別子」は、当該書き込み情報を特定するための識別子であり、「スレッド識別子」は、当該書き込み情報が含まれるスレッドを特定するための識別子である。また、「投稿者名」及び「メールアドレス」は、このスレッドに対して当該書き込み情報を投稿した投稿者の名前及びメールアドレスを示す文字列である。なお、匿名で情報を投稿する場合は、「投稿者名」及び「メールアドレス」は、空（ＮＵＬＬ）となる場合がある。また、「追加書き込み情報」は、投稿者によって投稿された書き込み情報の内容を示す文字列である。
【００４５】
次に、図７を参照して、リンク情報記憶手段１３に記憶されるリンク情報のデータ構成例について説明する。図７のデータ構成例に示すように、リンク情報記憶手段１３には、リンク情報である「参照アドレス（ＵＲＬ）」、「サイト名」、「表題」、「要約」を、「トラックバック識別子」に対応付けて記憶する。
「トラックバック識別子（ＵＲＬ）」は、リンク情報をＷｅｂサーバ３から送信してもらうための送信先を示すアドレスである。ここでは、「トラックバック識別子」は、エリアに対してリンク情報を設定する場合と、スレッドに対してリンク情報を設定する場合との２通りのアドレス表記を可能とする。すなわち、エリアに対してリンク情報を設定する場合は、位置関連情報提供サーバ１固有のアドレスに、エリア識別子を付加した形式で、トラックバック識別子を構成する。また、スレッドに対してリンク情報を設定する場合は、位置関連情報提供サーバ１固有のアドレスに、スレッド識別子を付加した形式で、トラックバック識別子を構成する。これによって、リンク情報は、エリア識別子（エリアに対応する識別情報；エリア情報）又はスレッド識別子（位置情報に対応する識別情報）に関連付けられることになる。
【００４６】
「参照アドレス（ＵＲＬ）」は、Ｗｅｂサーバ３が公開するＷｅｂページのアドレスである。また、「サイト名」は、当該Ｗｅｂページに付されている名称である。また、「表題」及び「要約」は、このリンク情報を画面データとして表示する際の文字列である。なお、これらのリンク情報は、リンク情報取得手段２４によって、リンク情報記憶手段１３に書き込まれる。
図１に戻って、位置関連情報提供サーバ１の構成の説明を続ける。
【００４７】
制御手段２０は、通信制御手段３０により受信した、端末装置２やＷｅｂサーバ３からネットワーク５を介して送信される要求に基づいて、位置関連情報提供サーバ１全体の動作を制御するもので、情報閲覧・投稿手段２１と、リンク情報取得手段２４とを備えている。
【００４８】
情報閲覧・投稿手段２１は、端末装置２から送信される位置情報に基づいて、該当する位置を含んだエリアに関連して投稿された投稿情報やリンク情報を端末装置２においてユーザが閲覧したり、投稿情報を投稿したりするための画面の制御を行うものである。ここでは、情報閲覧・投稿手段２１は、エリア画面処理手段２２と、スレッド画面処理手段２３とを備えている。
【００４９】
エリア画面処理手段２２は、端末装置２から送信される位置情報に対応するエリアの地図と、そのエリアに関連して投稿された投稿情報の一覧と、そのエリアに関連するリンク情報の一覧とをエリア画面として端末装置２に提示する処理を行うものである。なお、このエリア画面処理手段２２は、Ｗｅｂサーバ３からリンク情報を送信してもらうための送信先を示すアドレスであるトラックバック識別子も端末装置２の画面に提示する。
【００５０】
ここで、図８を参照して、エリア画面処理手段２２において生成されるエリア画面の画面構成について説明する。図８は、エリア画面の画面構成の一例を示す図である。
図８に示すように、エリア画面Ａｓは、地図提示領域Ｍｐと、スレッド一覧提示領域Ｓｔと、リンク情報一覧提示領域Ｌｔと、アドレス提示領域Ａｄとで画面を構成している。
地図提示領域Ｍｐは、端末装置２（図１参照）から送信される位置情報に対応するエリアの地図（エリア地図画像）を提示する領域である。また、スレッド一覧提示領域Ｓｔは、エリア内の位置に投稿されている投稿情報のスレッドの表題（スレッドタイトル）を一覧形式で提示する領域である。なお、この一覧に提示されたスレッドに対応する位置が、地図提示領域Ｍｐ内に特定の形状のマーク（スレッドマークｓｍ）としてプロットされる。また、リンク情報一覧提示領域Ｌｔは、Ｗｅｂサーバ３（図１参照）から通知されるリンク情報の一覧を提示する領域である。ここでは、リンク情報として表題（ここでは、「六本木ヒルズ」）及び要約（ここでは、「六本木ヒルズから…お届けします。」）を提示している。また、アドレス提示領域Ａｄは、トラックバック識別子（トラックバックＵＲＬ）を提示する領域である。
【００５１】
次に、図２を参照（適宜図１参照）して、エリア画面処理手段２２の詳細な構成について説明する。図２は、エリア画面処理手段の構成を示すブロック図である。ここでは、エリア画面処理手段２２は、エリア特定手段２２１と、エリア画面生成手段２２２とを備えている。
【００５２】
エリア特定手段２２１は、端末装置２からネットワーク５を介して送信され、通信制御手段３０により受信した位置情報に基づいて、エリアを特定するものである。このエリア特定手段２２１は、位置情報である緯度、経度に基づいて、エリア情報記憶手段１１の中から、その緯度、経度の位置を含んだエリアを探索し、そのエリアを識別するエリア識別子により、当該位置のエリアを特定する。ここで特定されたエリアのエリア識別子は、エリア画面生成手段２２２に出力される。
なお、端末装置２から通知される位置情報に、ＧＰＳ等の測位システムの測地系（世界測位系、日本測地系）が含まれ、エリア情報記憶手段１１や地図画像記憶手段１４の測地系と異なる場合は、エリア特定手段２２１が、その誤差を補正することとする。
【００５３】
エリア画面生成手段２２２は、エリア特定手段２２１で特定されたエリア（エリア識別子）に基づいて、エリア地図画像、スレッド一覧、リンク情報一覧、アドレス（トラックバックＵＲＬ）及びスレッドの位置を示すエリア地図画像上のスレッドマークを含んだエリア画面（図８参照）を生成するものである。また、エリア画面生成手段２２２は、エリア地図画像、スレッド一覧、リンク情報一覧、アドレス（トラックバックＵＲＬ）及びスレッドマークを、ＨＴＭＬ形式のデータに変換したエリア画面情報として、通信制御手段３０を介して、端末装置２に送信する。
なお、エリア画面生成手段２２２は、エリア画面を構成する各情報を生成するため、スレッド一覧生成手段２２２ａと、リンク情報一覧生成手段２２２ｂと、アドレス生成・探索手段２２２ｃと、エリア地図画像生成手段２２２ｄとを備えている。
【００５４】
スレッド一覧生成手段（投稿情報一覧生成手段）２２２ａは、エリア識別子に基づいて、当該エリア内の位置に関連して投稿されている投稿情報のスレッドの一覧を生成するものである。このスレッド一覧生成手段２２２ａは、エリア識別子に基づいて、投稿情報記憶手段１２の中から、エリア識別子が同じスレッドを探索し、そのスレッドの表題（スレッドタイトル）等からなる一覧を生成する。このスレッドの一覧が、図８で示したスレッド一覧提示領域Ｓｔに提示されることになる。なお、スレッド一覧生成手段２２２ａは、一覧として表示したスレッドに対応する位置を、投稿情報記憶手段１２から読み出して、図８で示した地図提示領域Ｍｐ上に表示するスレッドマークｓｍの位置とする。
【００５５】
リンク情報一覧生成手段（リンク情報探索手段）２２２ｂは、エリア識別子に基づいて、当該エリアに関連付けられているリンク情報の一覧を生成するものである。このリンク情報一覧生成手段２２２ｂは、エリア識別子に基づいて、リンク情報記憶手段１３の中から、エリア識別子が同じリンク情報を探索し、そのリンク情報の表題、要約等からなる一覧を生成する。なお、エリア識別子は、リンク情報記憶手段１３に記憶されているリンク情報のトラックバック識別子の一部として記述されている（図７参照）。このリンク情報一覧生成手段２２２ｂで生成されたリンク情報の一覧が、図８で示したリンク情報一覧提示領域Ｌｔに提示されることになる。
なお、エリア情報記憶手段１１に記憶されているエリア情報が、エリアを細分化した情報、例えば、エリアを縦、横それぞれ３分割した９区分領域の情報である場合、スレッド一覧生成手段２２２ａ及びリンク情報一覧生成手段２２２ｂは、エリア識別子で特定される領域と、その領域に連結する他の８区分領域とに含まれるスレッド及びリンク情報の一覧を生成するものとする。
【００５６】
アドレス生成・探索手段（アドレス生成手段）２２２ｃは、エリア識別子に基づいて、当該エリアに関連付けられているリンク情報の送信先となるアドレスを探索するものである。このアドレス生成・探索手段２２２ｃは、エリア識別子に基づいて、リンク情報記憶手段１３の中から、エリア識別子を含んでいるトラックバック識別子を探索し、そのトラックバック識別子をアドレスとする。なお、リンク情報記憶手段１３の中に、エリア識別子を含んでいるトラックバック識別子が存在しない場合、アドレス生成・探索手段２２２ｃは、位置関連情報提供サーバ１固有のアドレス（固有アドレス）に、エリアに固有の識別情報であるエリア識別子を付加した形式で、新規にトラックバック識別子を生成し、リンク情報記憶手段１３に記憶しておく。このアドレス生成・探索手段２２２ｃで生成又は探索されたトラックバック識別子（ＵＲＬ）が、図８で示したアドレス提示領域Ａｄに提示されることになる。
【００５７】
エリア地図画像生成手段２２２ｄは、エリア識別子に基づいて、エリア情報記憶手段１１に記憶されている当該エリアの位置と大きさに該当する地図を、地図画像記憶手段１４から読み出して、エリア地図画像を生成するものである。このエリア地図画像が、図８で示した地図提示領域Ｍｐに提示されることになる。
なお、エリア情報記憶手段１１に記憶されているエリア情報が、エリアを細分化した情報、例えば、９区分領域の情報である場合は、エリア地図画像生成手段２２２ｄは、エリア識別子で特定されるエリア情報に該当する地図を中心として、左右２つ、上下２つ及び斜め上下４つの計９つの地図からなる合成地図をエリア地図画像として生成する。これによって、端末装置２から通知される位置情報に対応する位置を含んだ領域を地図上で中央に配置することができる。
図１に戻って、位置関連情報提供サーバ１の構成の説明を続ける。
【００５８】
スレッド画面処理手段２３は、新規スレッドの生成、エリア画面（図８参照）で選択されたスレッド内における書き込み情報の一覧の提示、及び、そのスレッドに対する投稿（書き込み）を処理するものである。
【００５９】
ここで、図９及び図１０を参照して、スレッド画面処理手段２３において生成されるスレッド画面（スレッド作成画面及びスレッド閲覧・投稿画面）の画面構成について説明する。図９は、新規にスレッドを生成する場合に表示するスレッド作成画面の画面構成の一例を示す図である。図１０は、スレッド内における書き込み情報一覧の提示、及び、そのスレッドに対する投稿を行うスレッド閲覧・投稿画面の画面構成の一例を示す図である。
【００６０】
図９に示すように、スレッド作成画面Ｓｃは、表題入力欄Ｔｉ、投稿者名入力欄Ｎｍ、メールアドレス入力欄Ｍａ、書き込み情報入力欄Ｗｒ、スレッド作成指示ボタンＢａとで画面を構成している。
表題入力欄Ｔｉは、ある位置に投稿情報を新規に投稿する際のタイトルを入力する欄である。また、投稿者名入力欄Ｎｍ及びメールアドレス入力欄Ｍａは、投稿者の名前及びメールアドレスを入力する欄である。なお、投稿者が匿名を希望する場合は、この欄に入力を行う必要はない。また、書き込み情報入力欄Ｗｒは、投稿者によって、書き込み情報を入力する欄である。そして、スレッド作成指示ボタンＢａは、投稿者が各入力欄の入力を行った後に、スレッドの作成を指示するボタンである。
【００６１】
また、図１０に示すように、スレッド閲覧・投稿画面Ｓｒは、書き込み情報一覧提示領域Ｗｔと、リンク情報一覧提示領域Ｌｔと、アドレス提示領域Ａｄと、投稿者名入力欄Ｎｍ、メールアドレス入力欄Ｍａ、書き込み情報入力欄Ｗｒ及び投稿指示ボタンＢｂからなる書き込み領域Ｗａとで画面を構成している。
【００６２】
書き込み情報一覧提示領域Ｗｔは、スレッドに対して書き込まれている書き込み情報の一覧を時系列に提示する領域である。また、リンク情報一覧提示領域Ｌｔは、Ｗｅｂサーバ３（図１参照）から通知されるリンク情報の一覧を提示する領域である。また、アドレス提示領域Ａｄは、トラックバック識別子（トラックバックＵＲＬ）を提示する領域である。さらに、書き込み領域Ｗａは、当該スレッドに対して、追加して書き込み情報を書き込む領域（欄）で、投稿者名入力欄Ｎｍ、メールアドレス入力欄Ｍａ及び書き込み情報入力欄Ｗｒは、図９で示した入力欄と同じである。また、投稿指示ボタンＢｂは、当該スレッドに対して書き込み情報の追加を指示するボタンである。
【００６３】
次に、図３を参照（適宜図１参照）して、スレッド画面処理手段２３の詳細な構成について説明する。図３は、スレッド画面処理手段の構成を示すブロック図である。ここでは、スレッド画面処理手段２３は、スレッド新規作成手段２３１と、投稿情報閲覧・投稿手段２３２とを備えている。
【００６４】
スレッド新規作成手段２３１は、端末装置２からネットワーク５を介して送信され、通信制御手段３０により受信したエリア内位置情報と、その位置に対する投稿情報とに基づいて、新規にスレッドを作成するものである。ここで、エリア内位置情報には、エリアを特定するエリア識別子と、図８に示した地図提示領域（エリア）Ｍｐ内において、ユーザが新規にスレッドを作成するために選択した位置を示す座標とを含んでいる。なお、スレッド新規作成手段２３１は、スレッドを新規に作成するため、位置特定手段２３１ａと、スレッド作成画面生成手段２３１ｂと、投稿情報登録手段２３１ｃと、アドレス生成手段２３１ｄとを備えている。
【００６５】
位置特定手段２３１ａは、入力されたエリア内位置情報を、緯度、経度からなる位置情報に変換し、エリア内で選択された位置が、地理上のどの位置に相当するかを特定するものである。
【００６６】
スレッド作成画面生成手段２３１ｂは、図９で示したスレッド作成画面を生成するものである。なお、スレッド作成画面生成手段２３１ｂは、スレッド作成画面を、ＨＴＭＬ形式で作成し、スレッド作成画面情報として、エリア内位置情報を送信してきた端末装置２に送信する。
【００６７】
投稿情報登録手段（情報投稿手段）２３１ｃは、端末装置２から、スレッド作成画面で入力された投稿情報を取得し、登録を行うものである。なお、投稿情報登録手段２３１ｃは、投稿情報を取得した段階で、新規のスレッド識別子を生成し、位置特定手段２３１ａで特定された位置情報に基づいて、投稿情報を新規のスレッドとして、投稿情報記憶手段１２に記憶する。
【００６８】
アドレス生成手段２３１ｄは、位置特定手段２３１ａで特定された位置情報に基づいて、当該位置（すなわち、当該スレッド）に関連付けるリンク情報のアドレス（図１０に示したアドレス提示領域Ａｄに提示するトラックバック識別子（ＵＲＬ））を生成するものである。例えば、アドレス生成手段２３１ｄは、位置関連情報提供サーバ１固有のアドレス（固有アドレス）に、位置情報に固有の識別情報であるスレッド識別子を付加した形式で、トラックバック識別子を生成する。そして、アドレス生成手段２３１ｄは、投稿情報登録手段２３１ｃと同様に投稿情報を取得した段階で、リンク情報のアドレスを生成し、新規にリンク情報記憶手段１３に記憶する。
【００６９】
投稿情報閲覧・投稿手段２３２は、端末装置２からネットワーク５を介して送信され、通信制御手段３０により受信したスレッド識別子に基づいて、端末装置２に対して投稿情報を閲覧するための情報を生成するとともに、スレッドに対して追加の投稿情報（書き込み情報）を登録するものである。ここでは、投稿情報閲覧・投稿手段２３２は、スレッド閲覧・投稿画面生成手段２３３と、投稿情報登録手段２３４とを備えている。
【００７０】
スレッド閲覧・投稿画面生成手段（情報閲覧手段）２３３は、端末装置２から送信されるスレッド識別子に基づいて、スレッド閲覧・投稿画面（図１０参照）を生成するものである。また、スレッド閲覧・投稿画面生成手段２３３は、スレッド閲覧・投稿画面に表示する情報を、ＨＴＭＬ形式のデータに変換したスレッド閲覧・投稿画面情報として、通信制御手段３０を介して、端末装置２に送信する。
なお、スレッド閲覧・投稿画面生成手段２３３は、スレッド閲覧・投稿画面を構成する情報を生成するため、書き込み情報一覧生成手段２３３ａと、リンク情報一覧生成手段２３３ｂと、アドレス探索手段２３３ｃとを備えている。
【００７１】
書き込み情報一覧生成手段（投稿情報検索手段）２３３ａは、スレッド識別子に基づいて、当該スレッドに対して投稿されている書き込み情報の一覧を生成するものである。この書き込み情報一覧生成手段２３３ａは、スレッド識別子に基づいて、投稿情報記憶手段１２の中から、スレッド識別子が同じ書き込み情報を探索し、投稿された時刻の順番に時系列に書き込み情報の一覧を生成する。この書き込み情報の一覧が、図１０で示した書き込み情報一覧提示領域Ｗｔに提示されることになる。
【００７２】
リンク情報一覧生成手段（リンク情報検索手段）２３３ｂは、スレッド識別子に基づいて、当該スレッドに関連付けられているリンク情報の一覧を生成するものである。このリンク情報一覧生成手段２３３ｂは、スレッド識別子に基づいて、リンク情報記憶手段１３の中から、スレッド識別子が同じリンク情報を探索し、そのリンク情報の表題、要約等からなる一覧を生成する。なお、スレッド識別子は、リンク情報記憶手段１３に記憶されているリンク情報のトラックバック識別子の一部として記述されている（図７参照）。このリンク情報一覧生成手段２３３ｂで生成されたリンク情報の一覧が、図１０で示したリンク情報一覧提示領域Ｌｔに提示されることになる。
【００７３】
アドレス探索手段２３３ｃは、スレッド識別子に基づいて、当該スレッドに関連付けられているリンク情報のアドレスを探索するものである。このアドレス探索手段２３３ｃは、スレッド識別子に基づいて、リンク情報記憶手段１３の中から、スレッド識別子を含んでいるトラックバック識別子を探索し、そのトラックバック識別子をアドレスとする。このアドレス探索手段２３３ｃで探索されたトラックバック識別子（ＵＲＬ）が、図１０で示したアドレス提示領域Ａｄに提示されることになる。
【００７４】
投稿情報登録手段（情報投稿手段）２３４は、端末装置２から、スレッド閲覧・投稿画面で入力された投稿情報を取得し、登録を行うものである。なお、投稿情報登録手段２３４は、取得した投稿情報を投稿情報記憶手段１２に記憶する。
図１に戻って、位置関連情報提供サーバ１の構成の説明を続ける。
【００７５】
リンク情報取得手段（トラックバック制御手段）２４は、Ｗｅｂサーバ３から送信されるリンク情報を取得して、エリア又はスレッドに関連付けて、リンク情報記憶手段１３に記憶するものである。このＷｅｂサーバ３から送信されるリンク情報（アドレス〔ＵＲＬ〕、サイト名、表題及び要約）は、エリア識別子又はスレッド識別子を含んだアドレスであるトラックバック識別子（トラックバックＵＲＬ）を送信先として送信された情報である。そこで、リンク情報取得手段２４は、この送信先のアドレスであるトラックバック識別子を解析することで、当該リンク情報が、どのエリア又はどのスレッドに関連するものであるかを判定し、該当するエリア又はスレッドに関連付けてリンク情報を記憶する。
【００７６】
ここで、図４を参照（適宜図１参照）して、リンク情報取得手段２４の詳細な構成について説明する。図４は、リンク情報取得手段の構成を示すブロック図である。ここでは、リンク情報取得手段２４は、文字コード変換手段２４１と、アドレス判定手段２４２と、リンク情報登録手段２４３と、応答生成手段２４４とを備えている。
【００７７】
文字コード変換手段２４１は、Ｗｅｂサーバ３から送信されるリンク情報の文字コードを判別し、位置関連情報提供サーバ１内で統一した文字コードに変換するものである。一般に、Ｗｅｂサーバでは、ＪＩＳ、ＥＵＣ、シフトＪＩＳ等、種々の文字コードが使用されている。そこで、文字コード変換手段２４１は、それぞれの文字コードの種類を判定し、位置関連情報提供サーバ１内で統一した文字コード、例えば、シフトＪＩＳに変換する。ここで、統一した文字コードに変換されたリンク情報は、アドレス判定手段２４２に出力される。
【００７８】
アドレス判定手段２４２は、文字コード変換手段２４１で文字コード変換されたリンク情報の送信先アドレスに記述されている、トラックバック識別子内のエリア識別子又はスレッド識別子に基づいて、当該リンク情報の送信先（アドレス）が正当であるかどうかを判定する。このアドレス判定手段２４２は、エリア識別子又はスレッド識別子が、投稿情報記憶手段１２に記憶されている投稿情報のエリア識別子又はスレッド識別子と一致するものがあるかどうかを探索し、一致する場合にアドレスが正当であると判定する。この判定結果が正当である場合、アドレス判定手段２４２は、エリア識別子又はスレッド識別子と、リンク情報とを、リンク情報登録手段２４３に出力する。また、判定結果が正当でない場合、アドレス判定手段２４２は、その旨を応答生成手段２４４に出力する。
【００７９】
リンク情報登録手段２４３は、アドレス判定手段２４２から出力されるアドレスが正当であるリンク情報を、エリア識別子又はスレッド識別子に基づいて、リンク情報記憶手段１３に記憶（登録）する。このリンク情報登録手段２４３は、リンク情報を記憶した旨を応答生成手段２４４に出力する。
【００８０】
応答生成手段２４４は、Ｗｅｂサーバ３に対する応答を生成するものである。ここでは、応答生成手段２４４は、アドレス判定手段２４２におけるアドレスの判定結果や、リンク情報登録手段２４３におけるリンク情報の登録結果を、応答文（例えば、ＸＭＬ〔ｅＸｔｅｎｓｉｂｌｅ  Ｍａｒｋｕｐ  Ｌａｎｇｕａｇｅ〕）として生成し、リンク情報を送信してきたＷｅｂサーバ３に対して応答する。
これによって、リンク情報取得手段２４は、スレッドが存在するエリア又はそのスレッドに対する正当なリンク情報のみをリンク情報記憶手段１３に記憶することができる。
図１に戻って、位置関連情報提供サーバ１の構成の説明を続ける。
【００８１】
通信制御手段（要求受信手段、情報送信手段）３０は、インターネット等のネットワーク５を介して、データの送受信を行うものである。例えば、この通信制御手段３０は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）の通信プロトコルによって通信データの送受信を行う。
【００８２】
以上、一実施形態に基づいて、位置関連情報提供サーバ１の構成について説明したが、本発明はこれに限定されるものではない。
例えば、ここでは、エリア及びスレッドのそれぞれにリンク情報を関連付けることとしたが、いずれか一方のみに関連付けることとしてもよい。例えば、スレッドのみにリンク情報を関連付ける場合は、図２に示したエリア画面処理手段２２において、リンク情報一覧生成手段２２２ｂ及びアドレス生成・探索手段２２２ｃを位置関連情報提供サーバ１の構成から省くことができる。また、エリアのみにリンク情報を関連付ける場合は、図３に示したスレッド画面処理手段２３において、アドレス生成手段２３１ｄ、リンク情報一覧生成手段２３３ｂ及びアドレス探索手段２３３ｃを位置関連情報提供サーバ１の構成から省くことができる。
【００８３】
また、ここでは、エリアの情報を地図画像とともに表示することとしているが、地図画像を表示させずに、文字情報のみで位置情報に関連する情報を提供することとしてもよい。この場合、地図画像記憶手段１４（図１参照）及びエリア地図画像生成手段２２２ｄ（図２参照）を位置関連情報提供サーバ１の構成から省くことで実現できる。
なお、位置関連情報提供サーバ１は、一般的なコンピュータを、前記した各手段として機能させる位置関連情報提供プログラムとして実現することができる。この位置関連情報提供プログラムは、通信回線を介して配布することも可能であるし、ＣＤ−ＲＯＭ等の記録媒体に書き込んで配布することも可能である。
【００８４】
［位置関連情報提供サーバの動作］
次に、図１１乃至図１４を参照して、位置関連情報提供サーバ１の動作について説明する。ここでは、位置関連情報提供サーバ１が行う動作を、エリア画面を提示する動作、新規に投稿情報を登録する動作、登録されている投稿情報を提示し、その投稿情報に対して追加の情報を登録する動作、リンク情報を登録する動作の４つに分けて説明を行う。図１１は、エリア画面を提示する動作を示すフローチャートである。図１２は、新規に投稿情報を登録する動作を示すフローチャートである。図１３は、投稿情報の提示及び追加書き込み動作を示すフローチャートである。図１４は、リンク情報を登録する動作を示すフローチャートである。
【００８５】
（エリア画面提示動作）
最初に、図１１を参照（適宜図１及び図２参照）して、位置関連情報提供サーバ１がエリア画面を提示する動作について説明を行う。
まず、位置関連情報提供サーバ１は、通信制御手段３０によって、端末装置２から位置情報を受信し（ステップＳ１０）、エリア画面処理手段２２のエリア特定手段２２１によって、その位置情報である緯度、経度に基づいて、地理データ上のエリアを特定する（ステップＳ１１）。
【００８６】
そして、位置関連情報提供サーバ１は、エリア画面生成手段２２２のスレッド一覧生成手段２２２ａによって、投稿情報記憶手段１２から、そのエリア内の位置に関連して端末装置２により登録されているスレッドを探索し、そのスレッドの表題（スレッドタイトル）等からなる一覧（スレッド一覧）を生成する（ステップＳ１２）。なお、このステップＳ１２において、スレッド一覧生成手段２２２ａは、スレッドを探索する際にスレッドに対応する位置を、スレッドマークの位置として取得しておく。
【００８７】
また、位置関連情報提供サーバ１は、リンク情報一覧生成手段２２２ｂによって、リンク情報記憶手段１３から、そのエリア内の位置に関連してＷｅｂサーバ３により登録されているリンク情報を探索し、そのリンク情報の表題、要約等からなる一覧（リンク情報一覧）を生成する（ステップＳ１３）。さらに、位置関連情報提供サーバ１は、アドレス生成・探索手段２２２ｃによって、リンク情報記憶手段１３から、そのエリアに対して付されているアドレス（トラックバック識別子）を探索する（ステップＳ１４）。
ここで、アドレス生成・探索手段２２２ｃは、そのエリアに対してトラックバック識別子が付されているかどうかを判定し（ステップＳ１５）、トラックバック識別子が付されている場合（ステップＳ１５でＹｅｓ）、ステップＳ１７に進む。一方、トラックバック識別子が付されていない場合（ステップＳ１５でＮｏ）、アドレス生成・探索手段２２２ｃは、新規にトラックバック識別子を生成し、リンク情報記憶手段１３に記憶する（ステップＳ１６）。
【００８８】
また、位置関連情報提供サーバ１は、エリア地図画像生成手段２２２ｄによって、当該エリアの位置と大きさに該当する地図を、地図画像記憶手段１４から読み出して、エリア地図画像を生成する（ステップＳ１７）。
そして、位置関連情報提供サーバ１は、エリア画面生成手段２２２によって、ステップＳ１２〜ステップ１７で生成又は探索されたスレッド一覧、リンク情報一覧、アドレス（トラックバック識別子）、エリア地図画像、スレッドマーク等を、ＨＴＭＬ形式のデータに変換したエリア画面情報として、通信制御手段３０を介して、端末装置２に送信する（ステップＳ１８：情報送信ステップ）。
以上の動作によって、端末装置２の画面には、位置情報に関連する情報の一覧を示す、図８で示したエリア画面が表示される。
【００８９】
（新規投稿情報登録動作）
次に、図１２を参照（適宜図１及び図３参照）して、位置関連情報提供サーバ１が、新規にスレッドを登録する動作について説明を行う。ここで行う動作は、図１１で説明したエリア画面が提示された状態で、スレッドが登録されていない地図上の位置を選択されたときに行う動作である。
【００９０】
まず、端末装置２において、ユーザがエリア画面の地図上のスレッドが登録されていない位置を選択することで、位置関連情報提供サーバ１に、そのエリア内の位置を示すエリア内位置情報が送信される。そして、位置関連情報提供サーバ１が、通信制御手段３０によって、そのエリア内位置情報を受信する（ステップＳ２０）。そして、スレッド画面処理手段２３の位置特定手段２３１ａによって、エリア内位置情報を、緯度、経度からなる位置情報に変換する（ステップＳ２１）。
そして、位置関連情報提供サーバ１は、スレッド作成画面生成手段２３１ｂによって、投稿情報を入力するためのスレッド作成画面を、ＨＴＭＬ形式で作成し、スレッド作成画面情報として、端末装置２に送信する（ステップＳ２２）。これによって、端末装置２の画面には、図９で示したスレッド作成画面が表示される。
【００９１】
ここで、端末装置２において、ユーザがスレッドの表題（スレッドタイトル）、書き込み情報等を入力し、スレッド作成指示ボタンによりスレッドの作成を指示することで、位置関連情報提供サーバ１に、投稿情報が送信される。そして、位置関連情報提供サーバ１が、通信制御手段３０によって、投稿情報を受信する（ステップＳ２３）。
そして、位置関連情報提供サーバ１は、投稿情報登録手段２３１ｃによって、受信した投稿情報をステップＳ２１で変換された位置情報に関連付けて、新規のスレッドとして、投稿情報記憶手段１２に記憶（登録）する（ステップＳ２４：投稿情報登録ステップ）。さらに、位置関連情報提供サーバ１は、アドレス生成手段２３１ｄによって、新規のスレッドに対応するトラックバック識別子を生成し（ステップＳ２５：アドレス生成ステップ）、リンク情報記憶手段１３に記憶する（ステップＳ２６）。
以上の動作によって、端末装置２から位置情報に関連付けた投稿情報が、位置関連情報提供サーバ１に登録される。
【００９２】
（投稿情報の提示及び追加書き込み動作）
次に、図１３を参照（適宜図１及び図３参照）して、位置関連情報提供サーバ１が、投稿情報を提示し、その投稿情報に対して追加の情報を登録する動作について説明を行う。ここで行う動作は、図１１で説明したエリア画面が提示された状態で、すでに登録されているスレッドが選択されたときに行う動作である。
まず、端末装置２において、ユーザがエリア画面のスレッドマーク又はスレッド一覧によって、あるスレッドを選択することで、位置関連情報提供サーバ１に、そのスレッドを特定する識別子（スレッド識別子）が送信される。そして、位置関連情報提供サーバ１が、通信制御手段３０によって、そのスレッド識別子を受信する（ステップＳ３０）。
【００９３】
そして、位置関連情報提供サーバ１は、スレッド画面処理手段２３のスレッド閲覧・投稿画面生成手段２３３における書き込み情報一覧生成手段２３３ａによって、投稿情報記憶手段１２から、スレッド識別子が同じ書き込み情報を探索し、投稿された時刻の順番に時系列に書き込み情報の一覧を生成する（ステップＳ３１）。
また、位置関連情報提供サーバ１は、リンク情報一覧生成手段２３３ｂによって、リンク情報記憶手段１３から、そのスレッドに関連してＷｅｂサーバ３により登録されているリンク情報を探索し、そのリンク情報の表題、要約等からなる一覧（リンク情報一覧）を生成する（ステップＳ３２）。さらに、位置関連情報提供サーバ１は、アドレス探索手段２３３ｃによって、リンク情報記憶手段１３から、そのスレッドに対して付されているアドレス（トラックバック識別子）を探索する（ステップＳ３３）。
【００９４】
そして、位置関連情報提供サーバ１は、スレッド閲覧・投稿画面生成手段２３３によって、ステップＳ３１〜ステップＳ３３で生成又は探索された書き込み情報一覧、リンク情報一覧、アドレス（トラックバック識別子）等を、ＨＴＭＬ形式のデータに変換したスレッド閲覧・投稿画面情報として、通信制御手段３０を介して、端末装置２に送信する（ステップＳ３４）。
以上の動作によって、端末装置２の画面には、位置情報に関連する情報の一覧を示す、図１０で示したスレッド閲覧・投稿画面が表示される。
なお、端末装置２のユーザが投稿情報を閲覧する場合は、ステップＳ３４の動作で終了するが、さらに、閲覧したスレッドに対して追加の書き込みを行う場合は、以下のステップＳ３５に進む。
【００９５】
すなわち、端末装置２において、ユーザが、書き込み情報等を入力し、スレッド作成指示ボタンにより書き込み情報の追加を指示することで、位置関連情報提供サーバ１に、投稿情報が送信される。そして、位置関連情報提供サーバ１が、通信制御手段３０によって、投稿情報を受信する（ステップＳ３５）。
そして、位置関連情報提供サーバ１は、投稿情報登録手段２３４によって、受信した投稿情報（追加書き込み情報）を、該当するスレッドに対応付けて、投稿情報記憶手段１２に記憶（登録）する（ステップＳ３６）。
以上の動作によって、端末装置２からスレッドに対して追加書き込みされた投稿情報が、位置関連情報提供サーバ１に登録される。
【００９６】
（リンク情報登録動作）
次に、図１４を参照（適宜図１及び図４参照）して、位置関連情報提供サーバ１が、Ｗｅｂサーバ３から送信されるリンク情報を登録する動作について説明する。
まず、位置関連情報提供サーバ１は、通信制御手段３０によって、Ｗｅｂサーバ３からリンク情報を受信し（ステップＳ４０）、文字コード変換手段２４１によって、位置関連情報提供サーバ１で使用する文字コードに変換する（ステップＳ４１）。
【００９７】
そして、位置関連情報提供サーバ１は、アドレス判定手段２４２によって、ステップＳ４１で文字コード変換されたリンク情報の送信先であるアドレスに記述されている、トラックバック識別子内のエリア識別子又はスレッド識別子が、投稿情報記憶手段１２に記憶されているかどうかを検索することで、アドレスが正当であるかどうかを判定する（ステップＳ４２）。
ここで、アドレスを正当であると判定した場合（ステップＳ４２でＹｅｓ）は、リンク情報登録手段２４３によって、リンク情報をリンク情報記憶手段１３に記憶（登録）する（ステップＳ４３：リンク情報登録ステップ）。
【００９８】
そして、位置関連情報提供サーバ１は、アドレスを正当でないと判定した場合（ステップＳ４２でＮｏ）や、ステップＳ４３でリンク情報を登録した後に、応答生成手段２４４によって、その判定結果又は登録結果を応答文（例えば、ＸＭＬ）として生成し（ステップＳ４４）、リンク情報を送信してきたＷｅｂサーバ３に対して応答を送信する（ステップＳ４５）。
以上の動作によって、Ｗｅｂサーバ３から、位置関連情報提供サーバ１に対して、Ｗｅｂサーバ３にリンク先を示すリンク情報を、エリアやスレッドに関連付けて登録することができる。
【図面の簡単な説明】
【００９９】
【図１】本発明に係る位置関連情報提供サーバを含む位置情報コミュニケーションシステムの全体構成を示すブロック図である。
【図２】本発明に係る位置関連情報提供サーバのエリア画面処理手段の構成を示すブロック図である。
【図３】本発明に係る位置関連情報提供サーバのスレッド画面処理手段の構成を示すブロック図である。
【図４】本発明に係る位置関連情報提供サーバのリンク情報取得手段の構成を示すブロック図である。
【図５】本発明において、エリア情報記憶手段に予め記憶しておくエリア情報のデータ構成図である。
【図６】本発明において、投稿情報記憶手段に記憶される投稿情報のデータ構成図である。
【図７】本発明において、リンク情報記憶手段に記憶されるリンク情報のデータ構成図である。
【図８】本発明において、エリア画面の画面構成の一例を示す図である。
【図９】本発明において、新規にスレッドを生成する場合に表示するスレッド作成画面の画面構成の一例を示す図である。
【図１０】本発明において、スレッド内における書き込み情報一覧の提示、及び、そのスレッドに対する投稿を行うスレッド閲覧・投稿画面の画面構成の一例を示す図である。
【図１１】本発明に係る位置関連情報提供サーバにおけるエリア画面を提示する動作を示すフローチャートである。
【図１２】本発明に係る位置関連情報提供サーバにおける新規に投稿情報を登録する動作を示すフローチャートである。
【図１３】本発明に係る位置関連情報提供サーバにおける投稿情報の提示及び追加書き込み動作を示すフローチャートである。
【図１４】本発明に係る位置関連情報提供サーバにおけるリンク情報を登録する動作を示すフローチャートである。
【符号の説明】
【０１００】
Ａ      位置情報コミュニケーションシステム
１      位置関連情報提供サーバ（位置関連情報提供装置）
２      端末装置
３      Ｗｅｂサーバ
１０    記憶手段
１１    エリア情報記憶手段
１２    投稿情報記憶手段
１３    リンク情報記憶手段
１４    地図画像記憶手段
２０    制御手段
２１    情報閲覧・投稿手段
２２    エリア画面処理手段
２２１  エリア特定手段
２２２  エリア画面生成手段
２２２ａ  スレッド一覧生成手段（投稿情報一覧生成手段）
２２２ｂ  リンク情報一覧生成手段（リンク情報検索手段）
２２２ｃ  アドレス生成・探索手段（アドレス生成手段）
２２２ｄ  エリア地図画像生成手段
２３    スレッド画面処理手段
２３１  スレッド新規作成手段
２３１ａ  位置特定手段
２３１ｂ  スレッド作成画面生成手段
２３１ｃ  投稿情報登録手段（情報投稿手段）
２３１ｄ  アドレス生成手段
２３２  投稿情報閲覧・投稿手段
２３３  スレッド閲覧・投稿画面生成手段（情報閲覧手段）
２３３ａ  書き込み情報一覧生成手段（投稿情報検索手段）
２３３ｂ  リンク情報一覧生成手段（リンク情報検索手段）
２３３ｃ  アドレス探索手段
２３４  投稿情報登録手段（情報投稿手段）
２４    リンク情報取得手段（トラックバック制御手段）
２４１  文字コード変換手段
２４２  アドレス判定手段
２４３  リンク情報登録手段
２４４  応答生成手段
３０    通信制御手段（要求受信手段、情報送信手段）
【図１】
2006065535.tif 000003
【図２】
2006065535.tif 000004
【図３】
2006065535.tif 000005
【図４】
2006065535.tif 000006
【図５】
2006065535.tif 000007
【図６】
2006065535.tif 000008
【図７】
2006065535.tif 000009
【図８】
2006065535.tif 000010
【図９】
2006065535.tif 000011
【図１０】
2006065535.tif 000012
【図１１】
2006065535.tif 000013
【図１２】
2006065535.tif 000014
【図１３】
2006065535.tif 000015
【図１４】
2006065535.tif 000016